(57)【特許請求の範囲】
【請求項１】
篩網上に供給された被処理物に篩網を介して振動を付与して篩分けを行いながら、該被処理物を搬送する振動篩と、篩網の表面に向けて矩形の吸引口を開口するようにした被処理物に含まれる軽量物質を吸引する吸引ノズルとを備えた分離装置において、前記吸引ノズルの振動篩上流側の壁面及び振動篩下流側の壁面を吸引ノズルの中心軸を含む横断面に対して非対称に形成し、吸引ノズルの振動篩上流側の壁面の篩網の表面に対する角度が、振動篩下流側の壁面の篩網の表面に対する角度より小さくなるように設定したことを特徴とする分離装置。
【請求項２】
吸引ノズルの吸引口の被処理物の搬送方向の寸法とこれと直交する方向の寸法の比が、１：０．５〜２．０であることを特徴とする請求項１記載の分離装置。
【請求項３】
振動篩を振動させる回転偏心重錘機構を吸引ノズルの振動篩上流側の壁面の背部に配設したことを特徴とする請求項１又は２記載の分離装置。
【発明の詳細な説明】
【技術分野】
【０００１】
本発明は、分離装置に関し、篩網上に供給された被処理物に篩網を介して振動を付与して篩分けを行いながら、該被処理物を搬送する振動篩を備えた分離装置に関するものである。
【背景技術】
【０００２】
従来、篩網上に供給された被処理物に篩網を介して振動を付与して篩分けを行いながら、該被処理物を搬送する振動篩を備えた分離装置が提案されている（特許文献１参照）。
さらに、振動篩による被処理物の篩分けと並行して、当該被処理物に含まれる微細分等の軽量物質を吸引、除去するために、篩網の表面に向けて吸引口を開口する吸引ノズルを備えた分離装置も提案されている（特許文献２参照）。
【先行技術文献】
【特許文献】
【０００３】
【特許文献１】特開２００８−２８４４６８号公報
【特許文献２】特許第３０２１５０１号公報
【０００４】
ところで、特許文献１に記載のものは、被処理物に篩網を介して振動を付与して篩分けを行うものであるため、被処理物を大きさ別に分離できる反面、被処理物を重量（比重）別に分離する機能を備えたものではなかった。
このため、例えば、被処理物として廃棄物を対象とした場合には、「分別されていないものは選別を行い、安定型廃物焼却炉から排出されるスラグ産業廃棄物の熱しゃく減量を５％以下とすること。」（廃棄物処理法施行令第６条第１項第３号ロ）という産業廃棄物の埋立処分の基準を満たすためには、別途可燃物の分離、選別を行わねばならないという問題があった。
【０００５】
また、特許文献２に記載のものは、振動篩による被処理物の篩分けと並行して、当該被処理物に含まれる微細分等の軽量物質を吸引、除去するための吸引ノズルを備えているが、この装置は、廃物焼却炉から排出されるスラグに含まれる最大２ｍｍの粒度を有する微細分を分離、除去するためのもので、この装置を廃棄物の選別に適用しても、複雑で様々な形状からなり、相互に絡み合った廃棄物を、上記産業廃棄物の埋立処分の基準を満たすように選別することができるものではなかった。
【発明の概要】
【発明が解決しようとする課題】
【０００６】
本発明は、上記従来の分離装置の有する問題点に鑑み、複雑で様々な形状からなり、相互に絡み合った被処理物を篩分けて大きさ別に分離するとともに、これと並行して、当該被処理物に含まれる軽量物質を吸引、除去することができるようにした分離装置を提供することを目的とする。
【課題を解決するための手段】
【０００７】
上記目的を達成するため、本発明の分離装置は、篩網上に供給された被処理物に篩網を介して振動を付与して篩分けを行いながら、該被処理物を搬送する振動篩と、篩網の表面に向けて矩形の吸引口を開口するようにした被処理物に含まれる軽量物質を吸引する吸引ノズルとを備えた分離装置において、前記吸引ノズルの振動篩上流側の壁面及び振動篩下流側の壁面を吸引ノズルの中心軸を含む横断面に対して非対称に形成し、吸引ノズルの振動篩上流側の壁面の篩網の表面に対する角度が、振動篩下流側の壁面の篩網の表面に対する角度より小さくなるように設定したことを特徴とする。
【０００８】
この場合において、吸引ノズルの吸引口の被処理物の搬送方向の寸法とこれと直交する方向の寸法の比が、１：０．５〜２．０にすることができる。
【０００９】
また、振動篩を振動させる回転偏心重錘機構を吸引ノズルの振動篩上流側の壁面の背部に配設することができる。
【発明の効果】
【００１０】
本発明の分離装置によれば、振動篩によって、振動篩の篩網上に供給された被処理物に篩網を介して振動を付与して篩分けを行いながら、該被処理物を搬送するとともに、これと並行して、篩網の表面に向けて矩形の吸引口を開口するようにした吸引ノズルによって、被処理物に含まれる軽量物質を吸引することができる。
そして、吸引ノズルの振動篩上流側の壁面及び振動篩下流側の壁面を吸引ノズルの中心軸を含む横断面に対して非対称に形成するようにすることにより、振動篩の篩網上を搬送されている被処理物に対して継続して吸引力を付与するために、被処理物の搬送方向に長さを有する吸引ノズルでも、その中間部に吸引力が弱まる部位が生じることによる振動篩の篩網上での被処理物の滞留を防止し、振動篩の篩網上を被処理物を円滑に搬送しながら被処理物に含まれる軽量物質を吸引、除去することができる。
これにより、例えば、廃棄物の選別に適用することによって、複雑で様々な形状からなり、相互に絡み合った廃棄物を、上記産業廃棄物の埋立処分の基準を満たすように選別することができ、廃棄物の処理コストを低減することができる。
【００１１】
また、吸引ノズルの振動篩上流側の壁面の篩網の表面に対する角度が、振動篩下流側の壁面の篩網の表面に対する角度より小さくなるように設定することにより、被処理物に含まれる軽量物質のうち、より軽い物質から比較的重い物質までを、順に確実に吸引、除去することができる。
【００１２】
また、吸引ノズルの吸引口の被処理物の搬送方向の寸法とこれと直交する方向の寸法の比が、１：０．５〜２．０にすることにより、被処理物に含まれる軽量物質のうち、より軽い物質から比較的重い物質までを、効率よく、順に確実に吸引、除去することができる。
【００１３】
また、振動篩を振動させる回転偏心重錘機構を吸引ノズルの振動篩上流側の壁面の背部に配設することにより、吸引ノズルに回転偏心重錘機構が発生する振動を伝達するようにし、これによって、吸引された被処理物が吸引ノズルに付着したり、吸引された被処理物によって吸引ノズルが閉塞することを防止することができる。
【図面の簡単な説明】
【００１４】
【図１】本発明の分離装置の一実施例を示す説明図である。
【図２】同要部拡大図である。
【図３】吸引ノズル内の気流の流れを示す解析図で、（ａ）は本発明の実施例を、（ｂ）は比較例を示す。
【図４】本発明の分離装置の異なる実施例を示し、（ａ）は正面図、（ｂ）は平面図、（ｃ）は側面図である。
【図５】本発明の分離装置の異なる実施例を示し、（ａ）は正面図、（ｂ）は側面図である。
【発明を実施するための形態】
【００１５】
以下、本発明の分離装置の実施の形態を、図面に基づいて説明する。
【００１６】
図１〜図３に、本発明の分離装置の一実施例を示す。
この分離装置は、定量フィーダ１からコンベア２を介して篩網３１上に供給された被処理物Ｗに篩網３１を介して振動を付与して篩分けを行いながら、被処理物Ｗを搬送する振動篩３と、篩網３１の表面に向けて矩形の吸引口４１を開口するようにした被処理物Ｗに含まれる軽量物質Ｗｄを吸引する吸引ノズル４とを備えた分離装置において、吸引ノズル４の振動篩上流側の壁面４２ａ及び振動篩下流側の壁面４２ｂを吸引ノズル４の中心軸Ｌを含む横断面に対して非対称に形成するようにしている。
【００１７】
この場合において、振動篩３は、従来公知の任意の構造のものを使用することができるが、本実施例においては、特許文献１に開示した、篩網３１に一端を固定し、被処理物の搬送方向に延びる共振ばねロッド３２ａ及び共振ばねロッド３２ａの他端に設けられた共振重錘３２ｂからなる共振機構３２と、共振機構３２を共振させる回転偏心重錘機構３３と、回転偏心重錘機構３３を回転駆動するモータ３４とを備えている。
【００１８】
そして、本実施例においては、振動篩３を振動させる回転偏心重錘機構３３を吸引ノズル４の振動篩上流側の壁面４２ａの背部に配設するようにしている。
これにより、吸引ノズル４に回転偏心重錘機構３３が発生する振動を伝達するようにし、これによって、吸引された軽量物質Ｗｄが吸引ノズル４に付着したり、吸引された軽量物質Ｗｄによって吸引ノズル４が閉塞することを防止することができる。
【００１９】
振動篩３の下方には、振動篩３の篩網３１を通過した被処理物Ｗａを搬送するコンベア５を配設するようにしている。
【００２０】
振動篩３の下流側には、振動篩３の篩網３１を通過せずに排出された被処理物Ｗｂが落下する際に空気を吹き付けることにより被処理物Ｗｂに含まれる軽量物質Ｗｃを分離するエアー噴出ノズル６を配設するようにしている。
【００２１】
吸引ノズル４は、ブロア８に接続されることにより、振動篩３の篩網３１上を搬送されている被処理物Ｗに含まれる軽量物質Ｗｄを吸引し、吸引した軽量物質Ｗｄをサイクロン７で分離するようにしている。
【００２２】
そして、吸引ノズル４は、振動篩上流側の壁面４２ａ及び振動篩下流側の壁面４２ｂを吸引ノズル４の中心軸Ｌを含む横断面に対して非対称に形成するようにしているが、より具体的には、吸引ノズル４の振動篩上流側の壁面４２ａ（本実施例においては、壁面４２ａを途中で屈曲させたり構造４２ａ１、４２ａ２としている。）の篩網３１の表面に対する角度α１１、α１２（当該角度は、具体的には、１０°〜６０°、本実施例においては、α１１を２０°、α１２を４５°程度に設定するようにしている。）が、振動篩下流側の壁面４２ｂの篩網３１の表面に対する角度α２（当該角度は、具体的には、８０°〜１２０°、本実施例においては、１１０°程度に設定するようにしている。）より小さくなるように設定するようにしている。
これにより、被処理物Ｗに含まれる軽量物質Ｗｄのうち、より軽い物質から比較的重い物質までを、順に確実に吸引、除去することができる。
【００２３】
また、吸引ノズル４の吸引口４１は、振動篩３の篩網３１に対して、篩網３１上を搬送されている被処理物Ｗが衝突しない距離を隔てて設けるようにする。
この場合、篩網３１上を搬送される被処理物Ｗは、篩網３１を通過する被処理物Ｗａの量だけ減量するため、吸引ノズル４の吸引口４１は、振動篩３の篩網３１に対して、振動篩下流側を接近させて（振動篩３の篩網３１に対する角度βを数°〜１０°、本実施例においては、５°程度傾斜させて）設けるようにすることが望ましい。
【００２４】
また、吸引ノズル４の吸引口４１の被処理物Ｗの搬送方向の寸法Ｌ１とこれと直交する方向の寸法Ｌ２（図示省略）の比が、１：０．５〜２．０にすることができる。
これにより、被処理物Ｗに含まれる軽量物質Ｗｄのうち、より軽い物質から比較的重い物質までを、効率よく、順に確実に吸引、除去することができる。
なお、Ｌ１／Ｌ２が０．５より小さいと、搬送中の被処理物Ｗから軽量物質Ｗｄを吸引する時間が相対的に短くなり、軽量物質Ｗｄの吸引、除去の割合（確実性）が低下し、一方、Ｌ１／Ｌ２が２．０より大きいと、搬送中の被処理物Ｗから軽量物質Ｗｄを吸引する時間が相対的に長くなり、軽量物質Ｗｄの吸引、除去の割合（確実性）が向上する反面、エネルギ消費が増大し、効率が低下することとなり、好ましくない。
【００２５】
次に、この分離装置の作用について説明する。
この分離装置は、振動篩３によって、振動篩３の篩網３１上に供給された被処理物Ｗに篩網３１を介して振動を付与して篩分けを行いながら、被処理物Ｗを搬送するとともに、これと並行して、篩網３１の表面に向けて矩形の吸引口４１を開口するようにした吸引ノズル４によって、被処理物Ｗに含まれる軽量物質Ｗｄを吸引することができる。
そして、吸引ノズル４の振動篩上流側の壁面４２ａ及び振動篩下流側の壁面４２ｂを吸引ノズル４の中心軸Ｌを含む横断面に対して非対称に形成するようにすることにより、振動篩３の篩網３１上を搬送されている被処理物Ｗに対して継続して吸引力を付与するために、被処理物Ｗの搬送方向に長さを有する吸引ノズル４でも、その中間部に吸引力が弱まる部位が生じることによる振動篩３の篩網３１上での被処理物Ｗの滞留を防止し、振動篩３の篩網３１上を被処理物Ｗを円滑に搬送しながら被処理物Ｗに含まれる軽量物質Ｗｄを吸引、除去することができる。
図３の吸引ノズル内の気流の流れを示す解析図からも明らかなように、図３（ａ）に示す本発明の実施例の吸引ノズル４の場合は、吸引ノズル４の中間部Ａに吸引力が弱まる部位が生じにくく、被処理物Ｗの滞留を防止できるのに対して、図３（ｂ）に示す比較例（吸引ノズル４’の振動篩上流側の壁面及び振動篩下流側の壁面を吸引ノズル４’の中心軸Ｌを含む横断面に対して対称に形成したもの。）の場合は、吸引ノズル４’の中間部Ａに吸引力が弱まる（渦が発生している）部位が生じ、被処理物Ｗの滞留が起こっている。
これにより、例えば、廃棄物の選別に適用することによって、複雑で様々な形状からなり、相互に絡み合った廃棄物を、上記産業廃棄物の埋立処分の基準を満たすように選別（上記軽量物質Ｗｃ、Ｗｄに可燃物が含まれることが多い。）することができ、廃棄物の処理コストを低減することができる。
【００２６】
ところで、上記実施例においては、被処理物Ｗを、定量フィーダ１からコンベア２を介して篩網３１上に供給するようにしたが、図４に示す分離装置のように、被処理物Ｗを、定量フィーダ１から篩網３１上に直接供給するようにすることもできる。
なお、図４に示す分離装置において、吸引ノズル４の吸引口４１の被処理物Ｗの搬送方向の寸法Ｌ１（８１０ｍｍ）とこれと直交する方向の寸法Ｌ２（８１０ｍｍ）の比は、１：１に設定されている。
また、図４に示す分離装置のその他の構成及び作用は、図１〜図３に示す分離装置と同様である。
【００２７】
また、上記実施例においては、振動篩３を振動させる回転偏心重錘機構３３を吸引ノズル４の振動篩上流側の壁面４２ａの背部に配設するようにしたが、図５に示す分離装置のように、振動篩３を振動させる回転偏心重錘機構３３を振動篩３の下方のフレームＦに配設するようにすることもできる。
なお、図５に示す分離装置のその他の構成及び作用は、図１〜図３に示す分離装置と同様である。
【００２８】
以上、本発明の分離装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明の分離装置は、複雑で様々な形状からなり、相互に絡み合った被処理物を篩分けて大きさ別に分離するとともに、これと並行して、当該被処理物に含まれる軽量物質を吸引、除去することができる特性を有していることから、廃棄物からの可燃物の分離、選別の用途に好適に用いることができるほか、広く一般の分離の用途にも用いることができる。
【符号の説明】
【００３０】
１  定量フィーダ
２  コンベア
３  振動篩
３１  篩網
３２  共振機構
３２ａ  共振ばねロッド
３２ｂ  共振重錘
３３  回転偏心重錘機構
３４  モータ
４  吸引ノズル
４１  吸引口
４２ａ  振動篩上流側の壁面
４２ｂ  振動篩下流側の壁面
５  コンベア
６  エアー噴出ノズル
７  サイクロン
８  ブロア
Ｆ  フレーム
Ｌ  吸引ノズルの中心軸
Ｗ  被処理物
Ｗｄ  軽量物質
【図１】
0005815293.tif 000002
【図２】
0005815293.tif 000003
【図３】
0005815293.tif 000004
【図４】
0005815293.tif 000005
【図５】
0005815293.tif 000006